(57)【要約】【課題】  高さの高い部品を配置するために内部の構造に角度を設けて空間を確保し、装置全体として小型化、薄型化を実現することが可能な携帯型情報機器を提供する。【解決手段】基板３０１とＨＤＤ３０２の間に角度３０７、基板３０１と表示デバイス３０３の間に角度３０８をつけることにより、ＨＤＤ側空間部分３０５、表示デバイス側空間部分３０６には高さのある部品を配置できるようになり、かつ筐体厚みＡ側３０９は厚みを増加させることがないので、厚みのない機器として構築することが出来る。【選択図】  図２
2007094912.tif 000002
【特許請求の範囲】
【請求項１】
表示デバイスと、
前記表示デバイスを配設する第１の外装面と、
前記第１の外装面と対向する第２の外装面とを具備し、
前記第１の外装面の一辺と対向する前記第２の外装面の一辺が略並行であり、かつ前記第１の外装面と前記第２の外装面が対向する方向において筐体の厚さが異なることを特徴とする携帯型情報機器。
【請求項２】
前記第１の外装面上に操作ボタンを更に具備したことを特徴とする請求項１記載の携帯型情報機器。
【請求項３】
前記筐体の厚さが他の部分より厚い部分に厚みを持つ部品を配置することを特徴とする請求項１記載の携帯型情報機器。
【請求項４】
表示デバイスと、
前記表示デバイスを配設する第１の外装面と、
前記第１の外装面と対向する第２の外装面とを具備し、
前記第１の外装面の第１の一辺部と対向する前記第２の外装面の第２の一辺部、及び該第１の一辺部と対向する前記第１の外装面の第３の一辺部と対向する前記第２の外装面の第４の一辺部の各々の組が略並行であり、かつ前記第１の一辺部と前記第２の一辺部間の長さと前記第３の一辺部と前記第４の一辺部間の長さが異なることを特徴とする携帯型情報機器。
【請求項５】
前記第１の外装面上に操作ボタンを更に具備したことを特徴とする請求項４記載の携帯型情報機器。
【請求項６】
前記第１の一辺部と前記第２の一辺部間の長さと前記第３の一辺部と前記第４の一辺部間の長さのうちいずれか長いほうの筐体部分に厚みを持つ部品を配置することを特徴とする請求項５記載の携帯型情報機器。
【発明の詳細な説明】
【技術分野】
【０００１】
本発明は、携帯して利用される携帯型情報機器に係り、小型化及び薄型化を実現した携帯型情報機器の構造に関する。
【背景技術】
【０００２】
従来、携帯型情報機器等の小型化、薄型化を実現する方法として、筐体内の配置を工夫したりしていた。
【０００３】
例えば特許文献１には、電子ブックにおいて厚みのある部品をもともと厚みを確保している中央のヒンジ部に集中して配置することで、装置全体の厚みを増やさない構造が記載されている。
【０００４】
また特許文献２には、電子携帯機器において装置全体が厚くならないように記憶媒体とバッテリの配置方法の組み合わせが記載されている。
【特許文献１】特開２００１−１００６６７号公報
【特許文献２】特開２００５−０３９４６２号公報
【発明の開示】
【発明が解決しようとする課題】
【０００５】
しかしながら、上述した従来の技術は、もともと厚みを確保している箇所に集中して部品を配置したり、部品の配置位置を変更することで装置全体の厚さを抑えるのみであった。
【０００６】
本発明は上述の事情を考慮してなされたものであり、高さの高い部品を配置するために内部の構造に角度を設けて空間を確保し、装置全体として小型化、薄型化を実現することが可能な携帯型情報機器を提供することを目的とする。
【課題を解決するための手段】
【０００７】
上記課題を解決するため、請求項１に係る発明の携帯型情報機器では、表示デバイスと、表示デバイスを配設する第１の外装面と、第１の外装面と対向する第２の外装面とを具備し、第１の外装面の一辺と対向する第２の外装面の一辺が略並行であり、かつ第１の外装面と第２の外装面が対向する方向において筐体の厚さが異なることを特徴とする。
【０００８】
請求項２に係る発明の携帯型情報機器では、第１の外装面上に操作ボタンを更に具備したことを特徴とする。
【０００９】
請求項３に係る発明の携帯型情報機器では、筐体の厚さが他の部分より厚い部分に厚みを持つ部品を配置することを特徴とする。
【００１０】
また請求項４に係る発明の携帯型情報機器では、表示デバイスと、表示デバイスを配設する第１の外装面と、第１の外装面と対向する第２の外装面とを具備し、第１の外装面の第１の一辺部と対向する第２の外装面の第２の一辺部、及び第１の一辺部と対向する第１の外装面の第３の一辺部と対向する第２の外装面の第４の一辺部の各々の組が略並行であり、かつ第１の一辺部と第２の一辺部間の長さと第３の一辺部と第４の一辺部間の長さが異なることを特徴とする。
【００１１】
請求項５に係る発明の携帯型情報機器では、第１の外装面上に操作ボタンを更に具備したことを特徴とする。
【００１２】
請求項６に係る発明の携帯型情報機器では、第１の一辺部と第２の一辺部間の長さと第３の一辺部と第４の一辺部間の長さのうちいずれか長いほうの筐体部分に厚みを持つ部品を配置することを特徴とする。
【発明の効果】
【００１３】
本発明によれば、薄型化のために構造物の組み合わせや、もともと厚みのある部分を考慮した上で、さらに薄型化を実現した携帯型情報機器を提供することができる。また部分的にも製品の薄型化を強調することもでき、製品全体の印象としても薄型化を強調することができる。
【発明を実施するための最良の形態】
【００１４】
以下、図面を参照して本発明の実施形態について説明する。
【００１５】
図1は本発明の実施形態に係る携帯型情報機器を示す外観図である。図１において３００は操作ボタン、３０３は表示デバイス、３１１は筐体である。
【００１６】
図２は本発明の実施形態に係る携帯型情報機器の内部構造を示す説明図である。図２において、３０１は基板、３０２はＨＤＤ、３０４は円柱形バッテリ、３０５はＨＤＤ側空間、３０６は表示デバイス側空間、３０７はＨＤＤ側角度、３０８は表示デバイス側角度、３０９は筐体厚みＡ、３１０は筐体厚みＢを示す。
【００１７】
「小型軽量化」、「手に取った使い勝手の良さ」が求められるモバイル機器において、本体筐体の厚みは重要なファクターであり、できる限り薄型であることを求められることが多い。
【００１８】
できる限り薄型化を実現するため、内部は基板３０１を挟み込むようにＨＤＤ３０２、表示デバイス３０３が配置され、最も厚みのある円柱型バッテリ３０４がこれらとは別の位置に配置される。本体外側には操作ボタン３００が配置される。
【００１９】
本体の厚みを小さくするためには基板３０１とＨＤＤ３０２の間の空間、基板３０１と表示デバイス３０３の間の空間を狭く取ると良いが、基板３０１上には実装部品が配置されるため隙間が必要である。
【００２０】
実装部品には高さが高い物もあるが、他の部品との位置関係から確保できる空間に集中して配置することで、装置全体の厚みを抑える方法をとる。しかし全ての高い部品が都合よく置けるとは限らないため、本体厚みを増加せざるを得ない場合がある。
【００２１】
このとき、本発明のように装置全体の厚みを増加させるのではなく、配置に角度を付けることで部分的に高さが高い部品を配置できるような空間を設けることで、極力装置の厚み増加を抑えることができる。
【００２２】
図２は本実施形態に係る携帯型情報機器の内部構造を上部よりみた場合の構成図であるが、基板３０１とＨＤＤ３０２の間に角度３０７、基板３０１と表示デバイス３０３の間に角度３０８をつけることにより、ＨＤＤ側空間部分３０５、表示デバイス側空間部分３０６には高さのある部品を配置できるようになり、かつ筐体厚みＢ３１０に比べ筐体厚みＡ３０９は厚みを増加させることがないので、厚みのない機器として構築することが出来る。
【００２３】
本実施の形態に係る携帯型情報機器では、装置全体の厚みを増やすことなく、内部の構成部品に角度をつけて配置することで部分的な薄型化が可能となる。
【００２４】
これにより、携帯性に優れた薄型の携帯型情報機器を実現することができる。
【図面の簡単な説明】
【００２５】
【図１】本発明の実施形態に係る携帯型情報機器を示す外観図。
【図２】本発明の実施形態に係る携帯型情報機器の内部構造を示す説明図。
【符号の説明】
【００２６】
３００  操作ボタン
３０１  基板
３０２  ＨＤＤ
３０３  表示デバイス
３０４  円柱型バッテリ
３１１  筐体
【図１】
2007094912.tif 000003
【図２】
2007094912.tif 000004